(57)【要約】      （修正有）【課題】柵部の分離嵌合が容易に可能で、寝返りなどによる位置移動、ずれ、脱落を防止できるベッドガードを提供する。【解決手段】ベッド本体の枠部とマットレスの間に挿入配置される固定部２と、固定部２と連結されてベッド側部に起立する柵部１を嵌脱可能とし、また固定部２を２本の別体で構成し、それぞれの固定部２にはベッド枠へのビス留めが出来るように所定数の接続穴２３を配置するとともに、一端部には短尺パイプの脚ソケット２１を立設して、パイプ材で成る柵部１の２本の脚部を嵌入可能とすることにより、ベッド枠への確実な固定と安定した柵部の起立状態が得られ、梱包時には２本の固定部２が柵部形状内に重合できるコンパクトな梱包となって、運送費も軽減される。【選択図】図１
0003216043.tif 000002
【実用新案登録請求の範囲】
【請求項１】
所定長のパイプ材を略Ｕ字状に折曲して、両端部を一対の脚部とし、脚部先端部内には螺刻を設け、両脚部近辺間を接続部材で連結して成る柵部と、板材の一端部に穿孔して当該穴上に柵部のパイプより太径の短尺パイプでなる脚ソケットを立設し、他端部までの間に所定数の接続穴を穿孔して成る２本の固定部とで構成されることを特徴とするベッドガード。
【考案の詳細な説明】
【技術分野】
【０００１】本考案は、ベッドで横臥する人や、掛け布団の落下を防止するため、ベッドの両側あるいは片側に配置されるベッドガードに関し、特にマット下に差し込んで固定する固定部と、固定部の一端に接続されベッド脇に直角に立ち上がる柵部の分離嵌合が容易に可能で、しかも固定部がベッドに強固に固定されることによって横臥者の寝返りなどによっても位置移動、ずれ、脱落を防止できるベッドガードに関するものである。
【背景技術】
【０００２】ベッド上の横臥者、掛け布団の落下を防止する目的のベッドガードは様々な形態が見られる。角パイプ等で構成されるベッド本体枠に設けた穴にガードの脚部を差し込んで使用されるものは病院などで多く使用されるが、これは介護者等、第三者が操作することを前提にしたものであった。一般的に家庭において子供や老人が使用するベッドに用いられるものは、固定部と柵部が直角に折曲がるＬ字状断面に構成され、ベッド枠とマットレスの間に固定部を差し込み、柵部がベッド側部上へ立設されるものである。さらにこの形状で、使用者がベッドから降りる際には、簡単な操作で柵部が下方へ回転し、ベッド脇が開放され、容易にベッドから降りることが出来るものなど、その形態は様々であったが、基本的には固定部と柵部で構成されるものである。
【先行技術文献】
【特許文献】
【０００３】
【特許文献１】特開２００２−０４５２６８
【特許文献２】特開２００９−２１３５３９
【考案の概要】
【考案が解決しようとする課題】
【０００４】従来多く見られるベッドガードは、ベッド枠体とマットレスの間に固定部を差し込み、連設状態に接続されて直角に起立する柵部をベッド側部に配置するものであった。これらのものは柵部の立設状態を維持するのに、マットレスおよび横臥者の重量を利用するため、重量を受ける固定部と柵部は強固に一体的に接続される必要がある。固定部はベッド枠体とマットレスの間に挟持されているとはいえ、横臥者の寝返り、ベッドへの上がり降り等によってその挟持状態が変わり、抜け落ちることも考えられる。また使用者が子供など軽量者の場合その固定状態は不安定なものであった。ベッドから降りる際、またベッドに上がる場合には柵部を把持して体を支えることも多いが、マットレスの下に差し込んだだけの固定部がこの力を支えきれずに動いてしまい、不安定な体勢になることも考えられ、大きな課題として残っていた。また柵部が必要に応じて下方へ回転して、ベッド脇を開放する構造を持ったものなどは、不用意に回動しないよう連結固定時の強度の確保から構造も複雑になるものであった。よって両者は分離できない一体構造の製品として流通することが多く見られるものであった。大きな形状のものは当然流通段階のコストも大きくなるものであった。本願は上記の問題を考慮してなされたもので、いろんな形態を持つベッド枠との接続固定が可能な構造を持つ２本の固定部と、その両脚部を差し込み接続固定できる柵部で構成し、両者を分離可能とすることで、重合して小型の梱包が可能となることを目的とする。
【課題を解決するための手段】
【０００５】上記目的を達成するため、本願ではベッド枠体とマットレスの間に差し込む固定部を２つに分離して構成する。それぞれの固定部は板状で、長さ方向へ所定間隔に穿孔され、ベッド枠体へのビス接続のための接続穴を有する。また板状体の一端面には円柱形状の脚ソケットが立設される。脚ソケット接合内の板状体には脚連結穴が穿孔されているものである。
柵部は略Ｕ字状に折曲したパイプで構成され、Ｕ字両端部を脚部として、固定部の脚ソケットへと陥入されるものである。また両脚部端部には螺刻が施されている。
ベッドの枠体上に固定部を配置し、ベッドの枠組の桟の位置に応じた所定の接続穴を使用してビス留めを行う。上方へ起立する脚ソケットは円柱状で、柵部の脚部はそれより小径の円筒であるため、方向が限定されずに嵌合接続が可能である。つまりベッドを平面的に見て、ベッドの枠組の桟の位置に対応してビス留めするため両固定部がハの字状に開いた形となることがあっても、両固定部の脚ソケット間隔さえ考慮しておけば、柵部の両脚部との嵌合接続が可能である。またこの嵌合接続を強固にするため、固定部の脚ソケット裏からネジを差し込み、柵部の脚部に設けられた螺刻と螺合させるものである。
固定部の上にはマットレスが敷かれ、マットレス側部に柵部が起立してベッドガードが構成される。
２本の固定部の長さは柵部の略Ｕ字幅と同程度であり、固定部と柵部を重ね合わせて収納できるため、本願ベッドガードは柵部の形状内に全て収まるもので、梱包も小型に出来るものである。
【考案の効果】
【０００６】本考案によれば、マットレスの下に配置される２本の固定部はベッド枠体と強固に連結固定され、柵部の両脚部は簡単確実に固定部に陥入されるため、ベッド使用者の寝返りなどの体勢の変化、体重の移動にも柵部の起立状態が変化することなく、柵部を手摺りとして体重を掛ける動作も安全に行える。特に自分の体重が固定部に負荷されていない、ベッドへの昇降時にはその効果が大きい。また本願を構成する２本の固定部は略Ｕ字状の柵部外形状内に収まるため、流通過程の梱包も小さく、またその費用も軽減できるものである。
【図面の簡単な説明】
【０００７】
【図１】本考案の実施例の斜視図である。
【図２】本考案の柵部と固定部を分離した状態を示す斜視図である。
【図３】本考案の取付け状態を示す斜視図である。
【図４】本考案の固定部を開いた状態の取付け例を示した斜視図である。
【図５】脚ソケット部を示す斜視図である。
【図６】固定部の他の実施例を示す断面図である。
【考案を実施するための形態】
【０００８】本考案の実施形態を説明する。本願ベッドガードではベッド枠体とマットレスの間に差し込む固定部を２本の別体で構成する。それぞれの固定部はベッドの枠体とマットレスの間に差し込んで使用されることより、ベッド上の横臥者の背中にマットレスを通して伝わる違和感を出来るだけ少なくするため、板材を使用する。この板材は長さ方向へ所定間隔に穿孔されてベッド枠体への固定のための接続穴を有する。また板材の一端面には円柱形状の脚ソケットが立設される。柵部は略Ｕ字状に折曲したパイプで構成され、Ｕ字両端部を脚部として、固定部の脚ソケットへＵ字底が上になる形で陥入されるものである。
２本の固定部の長さは柵部の略Ｕ字幅と同程度であり、２本の固定部は柵部の外形状内に収まるため、梱包も小型に出来るものである。
【実施例】
【０００９】図１に示すよう、本考案の柵部１はパイプ材を略Ｕ字状に折曲加工し、両端部近辺間に接続部材１２を橋絡して、Ｕ字内に閉鎖空間を形成した概略形状で、この閉鎖空間には補強の目的もあって、これも小型の略Ｕ字状の補強部材１３を並列して配置する。補強部材１３はそのＵ字底を大きいＵ字底にそれぞれ接合し、他端部は接続部材１２に接合するものであるが、形状は必ずしもこれにこだわるものではなく、製品の性格上、美的感覚を喚起するものであれば良い。大きいＵ字パイプの端部より接続部材１２までの間はそれぞれ脚部１１とする。この長さは、後で述べる固定部２の立設された短尺のパイプでなる脚ソケット２１の長さとほぼ同等となる。両脚部１１端部にはナットを埋め込み固定するものであり、これも後述する固定部２との連結に用いる。また、ナットを埋め込む代わりに内径部に直接螺刻１４を施すことも同効果を有する。【００１０】固定部２は細幅の帯鋼材を用い、一般的なベッドの幅の半分くらい、つまり５０センチ程度の長さで、ほぼ等間隔に接続穴２３が４個穿孔され、さらに最端部に脚連結穴２２を穿孔し、当該穴２２を囲う形でパイプ材から成る脚ソケット２１を起立接合する。脚ソケット２１は、柵部１に用いたパイプより大径で、柵部１の脚部１１が嵌入できる太さであり、長さは１０センチ程度とする。脚ソケット２１、脚部１１の重合長さは実施例に示すよう１０センチ程度あれば、柵部１、固定部２の連結状態で、柵部１にかなりの力が加わっても、不用意に抜けるものではない。脚ソケット２１の上端縁には樹脂製のガイドカバー２４を被嵌する。これは脚ソケット２１はベッド側面に露出するものであり、美的観点からと、柵部１と脚部２嵌合の際のスムーズな嵌入などを考慮したものである。【００１１】以上の構成の両者であるが、使用に際しては、先ずベッドのマットレスを取り外し、ベッド枠体上に２つの固定部２を配置し、枠の任意位置と固定部２の接続穴２３をビスで固定するものである。この時ベッド枠とその側方から差し入れる固定部１は必ずしも直角に交わる配置でなくとも、２つの固定部１が略ハ字状に開く配置であっても良い。ベッドの枠体の仕様は製品により様々であり、接続穴２３がベッド枠と合致しない場合には、固定部をハ字状に開くかあるいは逆ハ字状に閉じても良く、出来るだけ多くの接続穴２３でビス留めすることが望ましい。本願では柵部１の脚部１１と固定部２の脚ソケット２１は共にパイプを使用するため、２つの固定部２の配置形状、位置にかかわらず、脚ソケット２１間の距離が柵部１の脚部１１間と同じであれば両者の連結は可能となる。
【符号の説明】
【００１３】１    柵部
１１  脚部
１２  接続部材
１３  補強部材
１４  螺刻
２    固定部
２１  脚ソケット
２２  脚連結穴
２３  接続穴
２４  ガイドカバー
【図１】
0003216043.tif 000003
【図２】
0003216043.tif 000004
【図３】
0003216043.tif 000005
【図４】
0003216043.tif 000006
【図５】
0003216043.tif 000007
【図６】
0003216043.tif 000008